(57)【要約】【課題】価格表示の設定と変更が容易であるという文字表示体交換式の特長を活かしつつ、表示を変更するために必要となる文字表示体の数が格段に少なく、かつ反復して使用しても劣化によって文字表示体が基台から外れたり、破損したりしにくい価格表示器を提供する。【解決手段】正三角柱の斜面上に、正三角柱の軸と平行な中心線に向かって数字または記号が相対して付される文字表示領域４を有する正三角柱形状の文字表示体２と、一以上の文字表示体２が横方向に並べられて載置される台座部５および台座部５の前端に設けられ、当該台座部５に載置された文字表示体２の前面下方側の文字表示領域４を遮蔽する前方支持部６ａを有する基台３とを備える。【選択図】  図１
0003169338.tif 000002
【実用新案登録請求の範囲】
【請求項１】
正三角柱の斜面上に、正三角柱の軸と平行な中心線に向かって数字または記号が相対して付される文字表示領域を有する正三角柱形状の文字表示体と、
一以上の前記文字表示体が横方向に並べられて載置される台座部、および、前記台座部の前端に設けられ、当該台座部に載置された前記文字表示体の前面下方側の前記文字表示領域を遮蔽する前方支持部を有する基台とを備える
ことを特徴とする価格表示器。
【請求項２】
前記基台は、さらに、
前記台座部の後端に後方支持部を有し、前方支持部と後方支持部とにより前記文字表示体を挟持する
ことを特徴とする請求項１記載の価格表示器。
【考案の詳細な説明】
【技術分野】
【０００１】
本考案は、店舗内で使用される価格表示器に関し、特に文字表示体交換式の価格表示器に関する。
【背景技術】
【０００２】
小売等の店舗においては、商品の陳列の視覚的効果を高め、店内の雰囲気を醸し出すために価格表示器が使用されている。装飾的で客の注意をひきやすい価格表示器は、ときに商品の売れ行きを左右し、販売促進に貢献する。
【０００３】
その一方で、商品の価格は、営業活動に伴い随時設定と変更が繰り返されることが常であるため、価格表示器には、表示価格の設定および変更を容易かつ迅速になしうる機能も求められる。  
【０００４】
このように、価格表示器は、商品の販売促進のみならず、販売活動の効率化とも密接な関係を有するものであり、この点に関して、古くから機能性や利便性を追究した様々な価格表示器が考案されている。たとえば、特許文献１では、複数個の単独文字表示体を基台に差し込むことにより、一から価格表示札を作り直す手間を省き、容易に価格の設定および変更を行うことができる価格表示器が提案されている。
【先行技術文献】
【特許文献】
【０００５】
【特許文献１】実開昭５１−１０１７９４号公報
【考案の概要】
【考案が解決しようとする課題】
【０００６】
ところで、価格表示器は、一般に商品の数に比例する個数が必要となることから、管理の容易性も求められる。価格表示器において、各桁の文字部分だけを独立した文字表示体とすることは、確かに、異なる数字について逐一文字表示体を用意しなくてもよいという利点がある。しかし、想定される全ての数に対応できるように、各桁につきそれぞれ０から９を個別に表示する文字表示体をあらかじめ用意しておかなければならない。
【０００７】
たとえば、６桁の数字を表示する場合に必要となる文字表示体の数は、１から９を表示するものが各６、０を表示するものが最上桁を除き５であるから、合計で９×６＋５＝５９となる。このため、価格表示器本体の数が増えると、当面使用しない文字表示体の数は膨大になり、これらを整然と保管しておく手間と場所とが必要になるという問題がある。
【０００８】
また、文字表示体交換式の価格表示器においては、価格表示の変更に伴って文字表示体の脱着が繰り返されることにより、文字表示体の支持部が劣化して強度が不足しがちになる。上述した価格表示器においても、単独の文字表示体を弾性体で形成し、その弾性力のみによって、これを基台に支持しているため、使用に伴う弾性体の劣化により支持力が低下すると、接触等の外部からの衝撃によって、文字表示体が基台から容易に外れてしまうという問題がある。
【０００９】
そこで、本考案は、以上のような問題点に鑑みなされたものであり、価格表示の設定と変更が容易であるという文字表示体交換式の特長を活かしつつ、表示を変更するために必要となる文字表示体の数が格段に少なく、かつ反復して使用しても劣化によって文字表示体が基台から外れたり、破損したりしにくい価格表示器を提供することを目的とする。
【課題を解決するための手段】
【００１０】
上記目的を達成するために、本考案に係る価格表示器は、正三角柱の斜面上に、正三角柱の軸と平行な中心線に向かって数字または記号が相対して付される文字表示領域を有する正三角柱形状の文字表示体と、一以上の前記文字表示体が横方向に並べられて載置される台座部、および、前記台座部の前端に設けられ、当該台座部に載置された前記文字表示体の前面下方側の前記文字表示領域を遮蔽する前方支持部を有する基台とを備えることを特徴とする。
【００１１】
これによって、正三角柱の３つの斜面上に２つずつ数字が付された文字表示体を横一列に基台に載置し、各桁の数字の設定と変更を１つの文字表示体の向きを変えることにより行うこととしたので、交換用の文字表示体の数を格段に減らすことが可能となる。また、一以上の正三角柱形状の文字表示体を、その中心軸を揃えて横一列に基台の台座部に載置するので、文字表示体自体が転倒や脱落に対する安定性を有しており、支持力の低下等により自ら脱落することもない。
【００１２】
ここで、前記基台は、さらに、前記台座部の後端に後方支持部を有し、前方支持部と後方支持部とにより前記文字表示体を挟持することが好ましい。
【００１３】
これによって、価格表示器が前方から外力を受けても文字表示体が後方にずれたり、基台から外れたりすることがなくなる。また、構造が単純であり、反復して使用しても破損しにくく、各部が劣化して文字表示体の支持が不安定になることもない。
【考案の効果】
【００１４】
文字表示体を同一の形状および大きさの正三角柱とし、複数の文字表示体を並び替えて、基台に載置することにより価格表示を行うこととしたので、極めて迅速かつ容易に表示価格の設定と変更を行うことができる。また、１つの文字表示体には３つの斜面に２つずつ数字を付することができ、文字表示体の向きにより表示面を切り替えて使用することができるので、交換用の文字表示体の数が格段に少なくて済み、保管に要する手間および場所を削減できる。さらに、文字表示体の正三角柱の形状と前後の支持部により、優れた安定性、特に、価格表示器前方からの力に対する安定性が確保される。この結果、保守性に優れ、管理しやすく、かつ劣化しにくい価格表示器が実現される。
【図面の簡単な説明】
【００１５】
【図１】本考案に係る価格表示器の実施の形態を示す全体の斜視図である。
【図２】図１における価格表示器本体の背面斜視図である。
【図３】文字表示体の斜視図である。
【図４】基台の斜視図である。
【図５】価格表示器の側面図である。
【考案を実施するための形態】
【００１６】
以下、本考案の実施の形態について、図面を参照しながら説明する。
【００１７】
図１および図２に示す価格表示器１は、表示価格に関する各桁の数字または必要な記号を表示する文字表示体２と、一以上の文字表示体２が載置される基台３とにより構成されている。
【００１８】
図３に示すように、文字表示体２は、水平方向に中心軸を有する正三角柱の形状を有しており、その前面、後面および底面は互いに合同な矩形である。以下、文字表示体２の中心軸を「軸」と略称する。文字表示体２の各矩形面上には、それぞれ文字表示領域４が２つずつ設けられている。
【００１９】
文字表示領域４は、軸と平行な中心線により各矩形面を二等分し、それぞれに文字を付すべき領域を割り当てたものである。図３において、その位置を破線により例示する。一の文字表示領域４内には、原則として、０から９までのいずれかの数字または記号が１文字ずつ付される。すなわち、その矩形面を正面として文字表示体２を見たときに、文字はその面の上側と下側に１文字ずつ付されることになる。このとき、いずれの文字も矩形面の中心線に向かって相対するように付される。すなわち、上側の文字は文字表示体２と天地を合わせて、また、下側の文字は天地を逆にして付されることになる。
【００２０】
なお、文字表示領域４は図３によって厳密に定義されるものではなく、二等分された矩形面の領域内ならば、どのように割り当ててもよい。ただし、後述の前方支持部６ａにより、完全に覆い隠される大きさでなければならない。また、文字を付す位置は、文字表示領域４内にあるかぎり、矩形面の中心線に対して厳密に上下対称にならなくてもよい。文字表示領域４の割り当て方によっては、矩形面の境界線や中心線を文字の輪郭の一部とすることも可能である。
【００２１】
１つの文字表示体２には最大で６文字しか付することができないことから、０から９までの１０種類の数字を全て割り当てるには、最低２つの文字表示体２が必要になる。そこで、本実施の形態では、１つの桁に対し、０から４の５文字を付したものと５から９の５文字を付したものの、２種類の文字表示体２が用意されている。なお、数字の割り当て後に余った文字表示領域４には、適宜「￥」などの記号が付されている。また、桁を区切るための「，」記号の付いた数字を付した文字表示体２も一桁分用意される。
【００２２】
基台３は、左右に長手方向を有する矩形板状の台座部５と、一以上の文字表示体２をそれぞれ前後から支持するための前方支持部６ａおよび後方支持部６ｂとを備えている。
【００２３】
本実施の形態では、前方支持部６ａおよび後方支持部６ｂはいずれも矩形板状であり、図４および図５に示すように、基台３の台座部５の前端および後端に、それぞれ側面から見て台座部５とＬ字型となるように設けられている。正面側の前方支持部６ａは台座部５と６０°を成すように、また、背面側の後方支持部６ｂは台座部５と直角を成すように形成されている。これらは、台座部５と一体的に形成してもよいし、それぞれ独立した部品として台座部５に取り付けてもよい。
【００２４】
次に、このような構成を有する価格表示器１の使用方法について説明する。本実施の形態では、７個の文字表示体２が基台３に同時に載置されることにより、最大で７桁の数字を表示することが可能である。ただし、最上位と最下位の桁の位置にそれぞれ「￥」記号と「−」記号を表示するとすれば、表示することが可能な価格の値は実質的に５桁以下となる。
【００２５】
本実施の形態において、価格表示の設定と変更は、基台３に載置される文字表示体２の向きと配列を変更することにより行う。
【００２６】
７個の文字表示体２は、左右水平に軸を揃え、互いに両側面を密着させて横一列に基台３の台座部５上に載置される。なお、ここでは、前方支持部６ａおよび後方支持部６ｂと文字表示体２との間にゆとりを設けていないことから、文字表示体２は基台３上に直接載置されるのではなく、その側面から台座部５上をスライドさせつつ、順次基台３上に取り付けられる。このとき、文字表示体２は、その前端が台座部５と前方支持部６ａとの間に隙間なく挟まれた状態で、基台３の側面から前方支持部６ａと後方支持部６ｂとの間に嵌入される。後方支持部６ｂは、文字表示体２が前方から外力を受けても、その後端部分を遮って容易に後方に移動するのを防止し、前方支持部６ａとともに、文字表示体２を基台３上に保持する役割を果たす。文字表示体２を取り外すときは、これを台座部５の上で横にスライドさせて、基台３の側面から順次取り出せばよい。
【００２７】
文字表示体２の取り付けに際しては、桁ごとに表示したい数字が付された面を前方支持部６ａ側に向け、その数字がその面の上側に位置するように文字表示体２の向きを決め、順次基台３に取り付ける。この際、正面から見て下側に付された文字は、文字表示体２を底面と後面が入れ替わるように反転させることにより、上側の文字として使用できる。
【００２８】
すると、文字表示体２が基台３に取り付けられた状態において、その面上の文字のうち、下側の文字が前方支持部６ａに覆われ、上側の文字だけが価格表示器１の正面から見えるようになる。この結果、価格表示器１を正面から見た場合、前方支持部６ａの上側に表示すべき価格の数字が横一列に配列されることとなる。
【００２９】
このような構成を備える価格表示器１は、表示すべき価格の数字に合わせて文字表示体２の向きと配列を変更し、基台３に取り付けることにより価格を表示するため、表示価格の設定がきわめて簡単である。
【００３０】
また、正三角柱の対称性に着目し、同形状に形成した文字表示体２の１つの側面に、２つの文字を互いに向きが反対となるように付した上で、その半分だけを向きを変えて選択的に表示させることとしたため、価格表示の変更に必要な文字表示体２の数を格段に減らすことができる。たとえば６桁表示の場合、本実施の形態では、２×６＝１２個あれば足り、これは、従来の０から９までの数字を個別に割り当てる場合の９×６＋５＝５９個と比較して約５分の１である。表示する桁や価格表示器１の数が増えればその差はさらに拡大することとなり、使用しない文字表示体２を管理する手間および場所を大幅に減らすことが可能となる。
【００３１】
さらに、文字表示体２が基台３に取り付けられると、価格表示器１の正面から文字表示体２に力が加わっても、前方支持部６ａおよび後方支持部６ｂが挟持しているため文字表示体２が前後に容易にずれたり、外れたりすることがない。なおかつ、価格表示器１自体が、全体として水平方向に軸を有する横長の正三角柱の形状を有することとなるため、非常に安定しており、転倒のおそれもないだけでなく、価格表示面が水平面に対して６０°をなすことから客が表示価格を見やすくなるという効果もある。その際、素朴な形状は独特の雰囲気を醸し出し、装飾的効果も期待できる。また、前方支持部６ａの正面の空白部分に、企業名、商品名その他の広告を付したり、既製の装飾用プレートなどのオーナメントを付したりしてアレンジを施すことによって、オリジナル性を強調することも可能であり、価格表示器に求められる販売促進機能にも優れている。
【００３２】
以上、本考案に係る価格表示器について、実施の形態に基づいて説明したが、本考案は、これに限定されるものではなく、本考案の目的を達成でき、かつ考案の要旨を逸脱しない範囲内で種々変更が可能であり、それらも全て本考案の範囲内に包含されるものである。
【００３３】
たとえば、上記実施の形態では文字表示体２の形状を正三角柱としたが、正四角柱その他の正多角柱としてもよい。
【００３４】
また、前方支持部６ａおよび後方支持部６ｂは、文字表示体２を支持することができ、価格表示器１の正面側に向けられたいずれかの文字表示領域４を覆い隠すことができるかぎり板状である必要はない。
【００３５】
この点に関し、上記実施の形態では、前方支持部６ａにより文字表示体２の前面上の文字のうち下側を覆い隠すとしたが、前方支持部６ａまたは後方支持部６ｂのいずれかの形状を変更することにより、上側を覆い隠して下側を表示するようにしてもよい。
【産業上の利用可能性】
【００３６】
本考案は、頻繁に商品の表示価格の設定と変更を繰り返す小売の店舗等において、視覚的効果を損なうことなく効率的な価格管理を実現する価格表示器として利用することが可能である。
【符号の説明】
【００３７】
１  価格表示器
２  文字表示体
３  基台
４  文字表示領域
５  台座部
６ａ  前方支持部
６ｂ  後方支持部
【図１】
0003169338.tif 000003
【図２】
0003169338.tif 000004
【図３】
0003169338.tif 000005
【図４】
0003169338.tif 000006
【図５】
0003169338.tif 000007